(57)【要約】【課題】    ヒバやヒノキ、スギ等の天然木材の持つ優れた樹木成分や芳香、薬効に着目し、木  材端材のチップや木材片の有する芳香や薬効、抗菌、防虫、消臭、脱臭等の効果を更に高め、持続させる樹木成分還元熟成法を提供。【解決手段】  天然木材のチップや木片５に、既に木材から抽出してある抽出精油を加え、撹拌混和してから、密閉状態で収容できる袋体１に入れ、内容空気を吸引し、負圧状態を維持させた状態で、チップや木材片５に精油成分を還元・熟成させて、木材本来の芳香や薬効を甦えさせる。【選択図】図１
2016055438.tif 000002
【特許請求の範囲】
【請求項１】
密封可能な還元熟成袋体１の中に、材木片５に同樹種木材から既に抽出された精
油分を噴霧ししながら撹拌、混和して収容し、密封状態を維持しながら熟成させる
構成をさせたことを特徴とする芳香材木片５の還元熟成法。
【請求項２】
上記還元熟成法に於いて、吸引・減圧して負圧状態が維持可能な還元熟成袋体１に
芳香材木片５を収容し、内容する空気を吸引・排気して負圧状態にしてから逆止め付
き吸引バルブ２を閉じ、負圧状態を維持したまま熟成させるよう構成させたことを
特徴とする請求項１記載の芳香材木片５の還元熟成法。  
【発明の詳細な説明】
【技術分野】
【０００１】
本発明は、山の樹木が放散する揮発性である森の香りの体への働きかけや、エネル
ギー、芳香とか薬効を有する材木片などを芳香材として有効活用する技術で、伐採し
てから乾燥をさせた材木片などの放散性能や薬効効果をより復活・上昇させること
ができる、木質材への樹木成分還元熟成法に関するものである。
【背景技術】
【０００２】
従来から、木材を建築用材としての柱、梁、板材などに製材する製材所では、山林
で伐採された原木を乾燥させて、含水量を調整してから建築用材として製材される
ので、その乾燥時に水分と共に油分も蒸散するが、現在はその製材残材や端材、おが
屑からは精油分を抽出したり、そのまま芳香材に利用したり、健康志向の畳床やボー
ドの材料などに活用されている。
【先行技術文献】
【特許文献】
【０００３】
【特許文献１】２００２−２３５４２９号公報
【特許文献２】２００５−３３５０９６号公報
【特許文献３】２０１３−０１４０３６号公報
【発明の概要】
【発明が解決しようとする課題】
【０００４】
そこで本発明は、天然木材の持つ自然の優れた樹木成分である芳香・薬効に着目し
たもので、製材時の残材として出る端材やおが屑などを芳香材用に活用する場合、同
材木から既に抽出されてある精油分を、更に芳香材木片に噴霧しながら混和し、それ
を密封或は負圧状態で芳香と薬効を還元熟成させることで、その効能や薬効を更に
高め、その木材が有する芳香、抗菌、防虫、消臭、脱臭などの効果をより高めた芳香
材木片を効率的に得ることを目的とする。
【０００５】
例えば、ヒバ材木片にヒバ精油を加え、撹拌、混合する芳香材の製法もあるが（例
特開２００７−２９７５７６）、ヒバ材木片の表面部に付着している場合が多くその
効果の持続期間も短いので、本発明では、材木片の樹脂組織内部まで樹木成分を浸
透・熟成させ、自然の原木状態にまで少しでも近づけることを目的とする。
【課題を解決するための手段】
【０００６】
請求項１に係る発明は、上記の目的を達成するための、ヒバやヒノキ、スギなどの
天然材木を破砕或いは切削して得られる材木片に、該材木から抽出された精油分を
加え、混和、撹拌したものを、合成樹脂製袋体或は函体に入れ、密封状態を維持した
状態で還元熟成させるよう構成させたことを特徴とする。
【０００７】
請求項２に係る発明は、上記容器内圧を負圧状態で維持可能なものとし、請求項１
同様材木片に精油分を加え、混和、撹拌して合成樹脂製袋体に投入し、内容する空気
を吸引バルブから吸引して密封し、袋体内を負圧状態のまま維持した状態で還元熟
成させる構成を特徴とする。
【０００８】
上記容器は、袋体或は函体何れでも密封或は負圧状態を維持可能な材質、構造で
あれば構わない。    
【０００９】
上記還元熟成法は、建築用材に製材するために、山林から伐採した原木の含水量調
整のために乾燥をさせて、製材した残材や端材から発生する材木片の、表面、樹液道、
大径道管や小道管などの材木内樹脂組織への、抽出成分である精油分や芳香、薬効成
分などの浸透作用促進を図るものである。
【００１０】
上記天然木材の芳香とヒノキチオールの含有量では、青森ヒバ、タイワンヒノキ、
能登ヒバなどが知られ、芳香では木曾ヒノキが良く知られる。
【発明の効果】
【００１１】
以上説明したように樹木成分の還元熟成法は、天然木材が持つ芳香や薬効・効能を
より一層効果的に活用でき、木材片の深くまで精油に含有されるヒノキチオールや
フィトンチッドのような樹木成分が浸透・熟成されるので、この熟成された芳香材木
片を活用した製品の芳香材（例えば特開２０１３−２２６３６０）や畳床、ボード
（例えば特開２０１３−０１４０３６）として利用しても長期間の効用がある。
【００１２】
この芳香材の適量を、通気性の袋体或は容器に入れ、居間、寝室、台所、トイレットや入浴剤など身辺に配置することで、精神安定効果として芳香と癒しが気持ちをリラックスさせ、また、防虫効果としてシロアリ、ダニ、ゴキブリを寄せ付けず、消臭、脱臭効果として不快な臭いを抑え、精神安定にも効果がある。
【００１３】
前記、本発明の手段によれば、芳香材やボード、畳床などで使用している内に醸し出す芳香や薬効効果が少なくなれば、外面から精油を噴霧してから、還元熟成袋の中に入れ、負圧状態で熟成させればその効果が蘇える可能性が増す。
【図面の簡単な説明】
【００１４】
【図１】本発明に係る還元熟成袋体の平面図。
【図２】本発明に係る還元熟成袋体に材木片が入った状態のA‐A断面図。
【発明を実施するための形態】
【００１５】
本発明の実施例の形態を図面に基づいて説明すると、本還元熟成用の容器は、常圧
状態で密封熟成の場合は、袋体或は函体でも密封状態を維持可能であれば熟成可能
であるが、負圧状態で熟成させる場合には、例えば布団圧縮袋（特開２０１２−２４
０７２６）同様の合成樹脂製の袋体１と、逆止め弁付き吸引バルブ２とチャック部３
とチャック補助具４を備え、この袋体１の中へ、木材から抽出された精油を木材片
へ噴霧しながら混和し、撹拌した芳香木材片５を入れ、チャック補助具４でチャック
部３を封じて、逆止め弁付き吸引バルブ２から内容空気を吸引しながらこれを閉じ、負圧状態を維持したままで還元熟成をする。
【実施例１】
【００１６】
第１の発明は、青森ヒバ（ヒノキアスナロ）の製材端材を破砕したチップや木材片
と、これにヒバ材から抽出されたヒバ精油を加え撹拌混和し、密封可能な合成樹脂製
熟成袋体に投入、密封した状態で熟成させるものである。
【実施例２】
【００１７】
第２の発明は、実施例１の木材片やチップと精油の撹拌までは同様であるが、合成
樹脂製の還元熟成袋体１から吸気して負圧状態を維持可能にするため、逆止め付き
吸引バルブ２から吸引、例えば吸引型掃除機で吸引、内側が負圧状態のままで逆止め
弁付き吸引バルブ２を閉じ、負圧状態を維持させたままで熟成させるものである。
【００１８】
以上実施例をあげたが、本発明は上記実施例に限られるものでなく、本発明の要
旨を逸脱しない範囲の変更などがあっても、本発明に含まれる。
【産業上の利用可能性】
【００１９】
ヒバやヒノキ、スギ等、特に青森ヒバ（ヒノキアスナロ）には、その放散される樹木成分がシックハウス症候群等の除去や生活害虫であるダニの殺虫或いは忌避効果や、細菌、真菌（カビの一種）、担子菌等の雑菌に対する抗菌作用が期待されるほか、樹木の放つフィトンチッドやテルペンには精神を安定させ、イライラを抑えリラックスした状態を作り出すこと（森林浴効果）も明らかにされており、院内感染の原因物質メチシリン耐性黄色ブドウ球菌（ＭＲＳＡ）や病原性大腸菌Ｏ１５7等への抗菌作用が認められていることや、防臭用、消臭用等としても本芳香材木片が木質材を有効利用することで、手軽に貴重な天然材木資源の再利用、活用に貢献できる。
【符号の説明】
【００２０】
１  還元熟成袋体
２  逆止め付き吸引バルブ
３  チャック部
４  チャック補助具
５  芳香木材片
６  袋体の溶着部
【図１】
2016055438.tif 000003
【図２】
2016055438.tif 000004